(57)【要約】【課題】上部薬剤収集機構を大きく開けるまでもなく内部を目視できるようにする。【解決手段】薬剤フィーダ１２の排出薬剤を落下収集する薬剤収集機構２０のうち薬剤フィーダ１２の横に位置する上部薬剤収集機構２１が薬品庫部１１の背面（外側面）に在って板状蓋体部分２５を開けて内部２４を露出させる薬剤分包機１０について、内部２４の一部を露出させうる覗き窓３０を板状蓋体部分２５に形成して、その開口３１を窓閉塞部材４０で開閉可能にする。また、覗き窓３０が薬剤の内部放出口２３やその下の本体部分２２に面するようにする。さらに、窓閉塞部材４０の素材を板状蓋体部分２５と同じにする。【選択図】        図１
2019217177.tif 000002
【特許請求の範囲】
【請求項１】
薬剤を収容して逐次排出しうる薬剤フィーダを複数装備した薬品庫部と、前記薬剤フィーダから排出された薬剤を受け入れて自重落下させながら収集する薬剤収集機構とを備え、前記薬剤収集機構のうち前記薬剤フィーダの横に位置する上部薬剤収集機構が前記薬品庫部の外側面寄りに配設されており且つ外側板兼用の又は外側板側の板状蓋体部分を外して又は開いて内部を露出させるようになっている薬剤分包機において、前記上部薬剤収集機構の内部の一部を露出させうる覗き窓が前記板状蓋体部分に形成されており、前記覗き窓を閉じる窓閉塞部材が設けられていることを特徴とする薬剤分包機。
【請求項２】
前記薬剤フィーダから受け入れた薬剤を前記上部薬剤収集機構が内部空間へ放出する内部放出口とその下の部分とのうち何れか一方または双方に対して前記覗き窓が面していることを特徴とする請求項１記載の薬剤分包機。
【請求項３】
前記窓閉塞部材が、前記板状蓋体部分と同じ素材からなり、前記覗き窓を開けることも可能なものであることを特徴とする請求項１又は請求項２に記載された薬剤分包機。
【発明の詳細な説明】
【技術分野】
【０００１】
この発明は、各種の薬剤を収容しておき処方箋や調剤指示に応じて所望の薬剤を自動排出して分包する薬剤分包機に関し、詳しくは、複数装備している薬剤フィーダから落下排出された薬剤を薬剤収集機構にて集める薬剤分包機に関し、更に詳しくは、薬剤フィーダを収容する薬品庫部に薬剤収集機構の上部薬剤収集機構が収められている薬剤分包機の改良に関する。
【背景技術】
【０００２】
各種の薬剤を分包しうる薬剤分包機として（例えば特許文献１〜７参照）、錠剤を分包する錠剤分包機や、散薬を分包する散薬分包機、錠剤と散薬とを混合してでも個別に分けてでも分包しうる散薬錠剤分包機などが挙げられるが、それらの多くが、薬剤フィーダを多数配設された薬品庫部と、投入ホッパに受け入れた薬剤を次々に長尺の二つ折り分包紙等に区分封入する包装装置と、上記の薬剤フィーダのうち適宜なものから排出された薬剤を収集して上記の包装装置に引き渡す薬剤収集機構と、処方箋情報等に基づいた調剤指示に応じて上記の薬剤フィーダや包装装置の動作を制御するコンピュータ等の制御装置とを備えている。
【０００３】
それら各部のうち錠剤フィーダは、所定の薬剤を収容しうる薬剤カセットと、それを着脱可能に保持するベース部とを組み合わせたものであり、そのうち後者のベース部は、薬剤カセットを機械的係合等にて保持する着座部材などの静的部材と、薬剤カセットの薬剤排出用回転盤を駆動するモータ等の動的部材とを具備していて、棚板上等に列設されることが多く、その上部にカセット収容空間を確保している。そして、調剤指示に応じて制御装置が調剤対象薬剤の薬剤フィーダのベース部に排出動作を行わせると、該当する薬剤フィーダの薬剤カセットから調剤対象薬剤が排出され、その薬剤が自重で落下しながら薬剤収集機構によって収集されてから包装装置の投入ホッパの中へ導かれ、包装装置によって朝昼晩夜の服用単位といった適宜な単位で分包される。
【０００４】
また、逐次排出に適した錠剤などの薬剤を取り扱う薬剤フィーダを薬品庫部に三次元配置等で多数装備しうる薬剤分包機の場合（例えば特許文献１〜３参照）、薬剤フィーダを二次元配置等で装備しうる薬剤フィーダ格納庫が左右に並んだ状態で薬品庫部に収容されるとともに、薬剤フィーダ格納庫同士の間などに薬剤収集機構のうち少なくとも上部薬剤収集機構が配設される（例えば特許文献１参照）。
そして、薬品庫部から薬剤フィーダ格納庫を引き出すと（例えば特許文献２参照）、それに随伴して上部薬剤収集機構の片割れが露出するので（例えば特許文献３参照）、上部薬剤収集機構の内部を清掃することができる。
【０００５】
一方、それより薬剤フィーダ実装数の少ない薬剤分包機の場合（例えば特許文献５〜７参照）、薬品庫部の上下や左右の長さに比べて奥行きの短い形態のものが薬剤フィーダ脱着等の観点から使い易いため実用化されている。
その場合、薬剤フィーダのカセットの脱着が薬品庫部の前から行われるので、そこを避けて薬品庫部の後背面部分に薬剤収集機構のうち上部薬剤収集機構の全部または一部が配設される。そのため、後背面部分の上部薬剤収集機構に対する清掃は、薬品庫部の背板を取り外して上部薬剤収集機構の内面を露出させてから行う。
【先行技術文献】
【特許文献】
【０００６】
【特許文献１】特開２００５−１９２７０２号公報
【特許文献２】特開２００６−１０９８６０号公報
【特許文献３】特開２０１１−１８２８９０号公報
【特許文献４】特開２００４−２５０００１号公報
【特許文献５】特開２００１−０８７３５３号公報
【特許文献６】特開２０１６−０７３５１８号公報
【特許文献７】特願２０１８−０００８８７号（出願）
【発明の概要】
【発明が解決しようとする課題】
【０００７】
このような薬剤分包機では、上部薬剤収集機構は側辺部分を曲げた縦板二枚を対向配置する謂わば縦割分割構造で構成され、その何れの縦板にも加工性や耐久性さらには汚れにくさ等を勘案してステンレス鋼が用いられるのが通例であった。
そのため、上部薬剤収集機構の内部は、対向縦板を引き離して開かないと、拭き取り等の清掃ができないのはもちろんのこと、見ることすらできないので、薬剤の粉塵の付着の増加などによって清掃が必要な状態にまでなったのか未だなのかを予め目視で確認するのが難しかった。
【０００８】
薬剤フィーダを多数装備した薬剤分包機の場合は（例えば特許文献１〜３参照）、大規模薬局など分包処方の多い所に好適で一般に使用頻度が高いことから、専門の保守作業者による定期点検がコスト面からも無理なく行えるうえ不具合発生時には緊急点検なども早急になされて、上部薬剤収集機構の内部に対する前回清掃から次回清掃までの経過時間が汚れ限界到達見込み時間より十分に短く維持されるので、上部薬剤収集機構の内部を清掃するべきか否かを決めるために先だって上部薬剤収集機構を開いて目視で確認するということの必要性が低かった。
【０００９】
これに対し、薬剤フィーダの装備個数が少なめの薬剤分包機の場合は（例えば特許文献５〜７参照）、小規模薬局など分包処方の少ない所に好適で一般に使用頻度が低かったり更にはばらつくことも多いうえ、専門の保守作業者による点検を望ましい周期で行うのはコスト負担が重いことから、上部薬剤収集機構の内部に対して清掃や更には修理等までも必要なのか否かをユーザが判断することが多いので、清掃等に先立って上部薬剤収集機構を開いて内部を目視確認することが必要となる。
清掃等の頻度は低いのに、目視確認の頻度は高い。
【００１０】
もっとも、薬剤フィーダの装備数が少なめの薬剤分包機の場合は（例えば特許文献５〜７参照）、薬品庫部から薬剤フィーダ格納庫を上部薬剤収集機構と一緒に引き出すといった複雑かつ堅牢な構造部分（例えば特許文献３参照）がほぼ不要であり、而も、上部薬剤収集機構の片割れが背板の直ぐ内側に配設されているか（例えば特許文献５，６参照）、背板が上部薬剤収集機構の片割れを兼ねていることが（例えば特許文献７参照）、多いので、簡素で安価な構造でありながら、上部薬剤収集機構の片割れを取り外すという行為にて、上部薬剤収集機構の内部を目視で確認することができる。
【００１１】
しかしながら、片割れとはいえ上部薬剤収集機構がかなり大きな物であるため、その脱着作業はユーザにとっては負担が重い。また、上部薬剤収集機構を全開すると、付着していた薬剤の粉塵等が舞い上がり易いので、その吸い込みや散逸などを防止低減するための準備もユーザにとっては負担となる。
そこで、それらの負担を軽減すべく、上部薬剤収集機構を大きく開けるまでもなく簡便に上部薬剤収集機構の内部を目視することができる薬剤分包機を実現することが、技術的な課題となる。
【課題を解決するための手段】
【００１２】
本発明の薬剤分包機は（解決手段１）、このような課題を解決するために創案されたものであり、
薬剤を収容して逐次排出しうる薬剤フィーダを複数装備した薬品庫部と、前記薬剤フィーダから排出された薬剤を受け入れて自重落下させながら収集する薬剤収集機構とを備え、前記薬剤収集機構のうち前記薬剤フィーダの横に位置する上部薬剤収集機構が前記薬品庫部の外側面寄りに配設されており、且つ、前記上部薬剤収集機構が外側板兼用の又は外側板側の板状蓋体部分を外して又は開いて内部を露出させるようになっている薬剤分包機において、
前記上部薬剤収集機構の内部の一部を露出させうる覗き窓が前記板状蓋体部分に形成されており、前記覗き窓を閉じる窓閉塞部材が設けられていることを特徴とする。
【００１３】
また、本発明の薬剤分包機は（解決手段２）、上記解決手段１の薬剤分包機であって、前記薬剤フィーダから受け入れた薬剤を前記上部薬剤収集機構が内部空間へ放出する内部放出口とその下の部分とのうち何れか一方または双方に対して前記覗き窓が面していることを特徴とする。
【００１４】
さらに、本発明の薬剤分包機は（解決手段３）、上記解決手段１，２の薬剤分包機であって、前記窓閉塞部材が、前記板状蓋体部分と同じ素材からなり、前記覗き窓を開けることも可能なものであることを特徴とする。
【発明の効果】
【００１５】
このような本発明の薬剤分包機にあっては（解決手段１）、薬剤収集機構のうち薬剤フィーダと並設されている部分である上部薬剤収集機構が、それが縦に並走する複数体に分かれている場合は少なくとも一体以上が、薬品庫部の外側面寄りに配設されていることを前提として、そのような外側面寄りの上部薬剤収集機構のうち、取り外し操作あるいは開き操作によって内部を露出させる（即ち操作にて上部薬剤収集機構を開ける）ようになっている板状蓋体部分について、相対的に小さい覗き窓を形成したことにより、相対的に大きい板状蓋体部分を大きく操作するまでもなく容易に、上部薬剤収集機構の内部を覗き窓の近傍であれば目視で確認することができる。しかも、板状蓋体部分より小さくて済む窓閉塞部材を設けて覗き窓が閉じられるようにもしたことにより、薬剤が覗き窓から飛び出すといった不都合も簡便かつ的確に防止することができる。
したがって、この発明によれば、上部薬剤収集機構を大きく開けなくてもその内部を覗き窓から簡便に目視することができる薬剤分包機を実現することができる。
【００１６】
また、本発明の薬剤分包機にあっては（解決手段２）、薬剤フィーダから排出されて来た薬剤が上部薬剤収集機構に受け入れられて上部薬剤収集機構の内部放出口から上部薬剤収集機構の内部空間へ放出されたときに内部放出口の近傍や下側部分と干渉しながら落下する頻度が高いことに基づき、その主たる薬剤落下部位に対して覗き窓が面するようにしたことにより、覗き窓が小さくても、粉塵付着や損傷などの不具合が生じやすい部位を的確に目視で確認することができる。
したがって、この発明によれば、覗き窓が小さくても簡便かつ的確に上部薬剤収集機構の内部の適所を目視することができる薬剤分包機を実現することができる。
【００１７】
さらに、本発明の薬剤分包機にあっては（解決手段３）、窓閉塞部材の素材に板状蓋体部分と同じものを採用したことで窓閉塞部材にも板状蓋体部分の耐久性や汚れにくさ等の特性を持たせて窓閉塞部材が板状蓋体部分より先に傷んだり汚れたりするのを回避したうえで、窓閉塞部材にて覗き窓を閉めるだけでなく開けることもできるようにしたことにより、窓閉塞部材が例え板状蓋体部分と同じ不透明なものであっても、小さな覗き窓を開けることで簡便に上部薬剤収集機構の内部を目視確認することができる。
したがって、この発明によれば、覗き窓から簡便に上部薬剤収集機構の内部を目視することができるうえ窓閉塞部材の素材には特別な物性の部材を用いなくて済む薬剤分包機を実現することができる。
【図面の簡単な説明】
【００１８】
【図１】本発明の実施例１について、薬剤分包機の構造を示し、（ａ）が前方の右上から装置の正面と右側面と上面とを見下ろした斜視図、（ｂ）〜（ｄ）が後方の左上から装置の背面と左側面と上面とを見下ろした斜視図である。
【図２】薬品庫部を後方の左上から見下ろした斜視図である。
【図３】薬品庫部を後方の左上から見下ろした斜視図である。
【図４】薬剤分包機を後方の左下から見上げた斜視図である。
【図５】（ａ）が窓閉塞部材の斜視図、（ｂ）が覗き窓の斜視図である。
【図６】本発明の実施例２について、薬品庫部を後方の左上から見下ろした斜視図である。
【発明を実施するための形態】
【００１９】
このような本発明の薬剤分包機について、これを実施するための具体的な形態を、以下の実施例１〜２により説明する。
図１〜図５に示した実施例１は、上述した解決手段１〜３（出願当初の請求項１〜３）を総て具現化したものであり、図６に示した実施例２は、その変形例である。
なお、それらの図示に際しては、簡明化等のため、ボルト等の締結具や，ヒンジ等の連結具，電動モータ等の駆動源，タイミングベルト等の伝動部材，モータドライバ等の電気回路，コントローラ等の電子回路などは図示を割愛し、発明の説明に必要なものや関連するものを中心に図示した。
【実施例１】
【００２０】
本発明の薬剤分包機の実施例１について、その具体的な構成を、図面を引用して説明する。
図１（ａ）は、前方の右上から見下ろした薬剤分包機１０の斜視図である。
図１（ｂ）と図２は、後方の左上から見下ろした薬剤分包機１０の斜視図であり、覗き窓３０が窓閉塞部材４０にて閉じられている状態を示している。
【００２１】
図１（ｃ）と図３は、これも後方の左上から見下ろした薬剤分包機１０の斜視図であるが、覗き窓３０から閉塞部材４０を取り外した状態を示している。
図１（ｄ）と図４は、背板兼用の板状蓋体部分２５を薬剤分包機１０から取り外した状態を示しており、図１（ｄ）が後方の左上から見下ろした薬剤分包機１０の斜視図であり、図４が後方の左下から見上げた薬剤分包機１０の斜視図である。
図５は、（ａ）が窓閉塞部材４０の斜視図、（ｂ）が覗き窓３０とその周辺の斜視図であり、開口３１が視認し易いように物体部分には散点模様を付している。
【００２２】
例示した薬剤分包機１０は（図１（ａ）参照）、錠剤と散薬とを混合でも個別でも分包しうる散薬錠剤分包機であり（例えば特許文献４〜６参照）、上段から下段へ薬品庫部１１と薬剤手撒き装置１３と散薬分配分割装置１４と包装装置１５と図示しない制御装置とを備えている。薬品庫部１１には、錠剤等の薬剤を収容して逐次排出しうる薬剤フィーダ１２が多数装備されており、制御装置の制御に従って、薬剤フィーダ１２と薬剤手撒き装置１３と散薬分配分割装置１４とが夫々担当の薬剤を逐次排出し、それらの薬剤を包装装置１５が受け入れて図示しない分包紙等に区分封入するようになっている。
【００２３】
また、薬剤分包機１０は（図１（ｂ）〜（ｄ）参照）、各薬剤排出部１２，１３，１４から排出された薬剤を自重にて落下させながら収集して包装装置１５の投入ホッパへ投入する薬剤収集機構２０を具備している。薬剤収集機構２０は、薬品庫部１１に組み込まれた上部薬剤収集機構２１と、その下方の薬剤手撒き装置１３の後方等に配置された下部薬剤収集機構２６とからなり、何れも従来通りステンレス鋼で作られている。
そのうち上部薬剤収集機構２１は、多数の薬剤フィーダ１２から排出された薬剤を受け入れて収集するために、多数の薬剤フィーダ１２の横に位置している。
【００２４】
さらに、薬剤分包機１０は（図１参照）、薬剤フィーダ１２の実装数が少なめなものであり（例えば特許文献５〜７参照）、薬品庫部１１における薬剤フィーダ１２の配列が三次元でなく二次元にとどまっている（例えば特許文献６，７参照）。
そして、高い頻度で実行される薬剤フィーダ１２に係るカセット脱着作業が前から出来るように（図１（ａ）参照）、上部薬剤収集機構２１は、薬品庫部１１の中で薬剤フィーダ１２より後方の所に配置されて、薬品庫部１１の背面（外側面）寄りに位置している（図１（ｂ）〜（ｄ）参照）。
【００２５】
また、上部薬剤収集機構２１は、薬剤フィーダ１２の実装範囲をカバーするために薬品庫部１１より一回り小さい程度の比較的大きなものであるが、前後には薄く、扁平な錐台状管体を逆さにしたような下窄み中空体になっており（図１（ｂ）〜（ｄ）参照）、多数の薬剤フィーダ１２の後方に固定された本体部分２２と、それに背後から着脱される板状蓋体部分２５とを具備している。この例では、板状蓋体部分２５が薬剤分包機１０の背板のうち薬品庫部１１に該当する部分を兼ねている。そして、常態では、落下薬剤の収集経路となる内部２４の空間の側周面部分を囲うために板状蓋体部分２５が本体部分２２に取り付けられるようになっている（図１（ｂ），図２参照）。
【００２６】
しかも、上部薬剤収集機構２１は、清掃時や修理時などには、内部２４を大きく露出させるために、板状蓋体部分２５を本体部分２２から取り外すことができるようになっている（図１（ｄ），図４参照）。そして、内部２４を露出させると、薬剤フィーダ１２の棚が多段なのに対応して本体部分２２と内部放出口２３とが交互で上下に並んだ横縞状の模様のように見えるとともに、その下端の収集薬剤落下放出用の開口から下方を覗き込むと下部薬剤収集機構２６の上端部が見えるようになっている（図１（ｄ）参照）。薬剤フィーダ１２の薬剤排出口に繋がる内部放出口２３は（図４参照）、薬剤フィーダ１２から受け入れた薬剤を内部空間（２４）へ放出するものなので、薬品庫部１１に実装されて自動排出を行いうる薬剤フィーダ１２に対応した配置で多数個が設けられている。
【００２７】
さらに、薬剤分包機１０は、板状蓋体部分２５に覗き窓３０が一個だけ形成されており（図１（ｃ），図３参照）、そこに窓閉塞部材４０が装着されるようになっている（図１（ｂ），図２参照）。
覗き窓３０は（図１（ｃ），図３，図５（ｂ）参照）、上部薬剤収集機構２１の内部２４の一部を露出させうる開口３１を主体としたものであり、窓閉塞部材４０を着脱容易に保持する擦合部３２と係合部３３も設けられている。
【００２８】
例示した覗き窓３０では（図５（ｂ）参照）、開口３１が縦に長い小さな四角形になっており、擦合部３２が開口３１の左右から折り曲げ等にて後方へ向けられた突出片になっており、係合部３３が擦合部３２を斜め下方へ削り込んだ切欠になっている。
このような覗き窓３０は、板状蓋体部分２５のうち、それが本体部分２２に装着されたときに開口３１が何れかの内部放出口２３とその下の部分との双方に対して直面するような部位に、設けられている。そして、開口３１を開けると（図１（ｃ），図３参照）、上部薬剤収集機構２１の内部２４のうち開口３１の向こうに位置している内部放出口２３や本体部分２２を露見させるようになっている。
【００２９】
窓閉塞部材４０は（図５（ａ）参照）、覗き窓３０に装着されて開口３１を塞ぐためのものであり（図１（ｂ），図２参照）、板状蓋体部分２５と同様に薬剤が当接する可能性があることから、板状蓋体部分２５と同じ素材のステンレス鋼から作られて不透明なものとなっているので、覗き窓３０から上部薬剤収集機構２１の内部２４を覗きたいときには覗き窓３０の開口３１を速やかに開けられるよう、覗き窓３０に対して簡便に着脱することができるようになっている。
【００３０】
具体的には（図５（ａ）参照）、例示の窓閉塞部材４０は、開口３１にピッタリ且つスムーズに嵌まる平板状の閉塞部４１と、その左右からほぼ直角に折り曲げられた一対の擦合部４２，４２と、それぞれの擦合部４２の上下端の近傍に突設された小ネジ等からなる係合部４３，４３と、縦長の擦合部４２，４２のほぼ中央のところで両部材４２，４２に対して連結された把手部４４とを具備している。
しかも、窓閉塞部材４０と覗き窓３０とは（図５参照）、閉塞部４１が開口３１に対応しているのに加えて、擦合部４２，４２の外側面がそれぞれ擦合部３２，３２の内面に対応するとともに、係合部４３，４３，４３，４３がそれぞれ係合部３３，３３，３３，３３に対応している。なお、四つの係合部４３のうち少なくとも一つ例えば右上のものは、頭部を指先で軽く摘まんで軸回転させる等のことでネジ部と共に頭部を擦合部４２に対して進退させることが容易にできるようになっている。
【００３１】
この実施例１の薬剤分包機１０について、その使用態様及び動作を、上述した図面を引用して説明する。
【００３２】
分包動作可能な常態では（図１（ａ）参照）、薬剤分包機１０の薬品庫部１１の背面には板状蓋体部分２５が装着されており、板状蓋体部分２５の覗き窓３０には窓閉塞部材４０が装着されている（図１（ｂ），図２参照）。そして、従来同様に分包動作を繰り返すうちに、上部薬剤収集機構２１の内部２４の汚れ等が気になったときには、薬剤分包機１０が動作を停止しているときに、薬剤分包機１０の後方に回って、板状蓋体部分２５の覗き窓３０から窓閉塞部材４０を取り外す。この作業は、先ず窓閉塞部材４０の右上の係合部４３を指先等で軸回転させて係合部４３の頭部を覗き窓３０の擦合部３２から少し離隔させ、それから把手部４４を持って窓閉塞部材４０を後方へ引っ張る又は斜め後ろへ引っ張り上げることで、簡便に行えるので、専門の保守作業者でないユーザでも楽に行える。
【００３３】
窓閉塞部材４０が覗き窓３０から離れると、開口３１が現れ（図１（ｃ），図３参照）、そこから上部薬剤収集機構２１の内部２４を覗き込むことが可能になるので、その窓先の部分に限定はされるが、本体部分２２や内部放出口２３の状態を目視で確認することができる。そして、その視認にて上部薬剤収集機構２１の内部２４に対する清掃等の作業が必要であると分かれば、その作業は板状蓋体部分２５を取り外して行うため（図１（ｄ），図４参照）、ユーザには荷が重いので、専門の保守作業者などに委ねられる。
一方、上述の視認にて内部２４の清掃等が未だ要らないと分かったときには、窓閉塞部材４０を覗き窓３０に装着して元の状態に戻し、薬剤分包機１０を再稼動させる。
【００３４】
ここで、窓閉塞部材４０を覗き窓３０に装着するときは（図５参照）、先ず、右上の係合部４３を軸回転させて頭部を擦合部４２から適度に離しておき、それから窓閉塞部材４０の把手部４４を摘まんで閉塞部４１を覗き窓３０の擦合部３２，３２の間に少し差し込み、四つの係合部４３が四つの係合部３３の開口部に一対一で入るところまで窓閉塞部材４０を押し込み、さらに窓閉塞部材４０を斜め下へ押し込む。
そうすると、総ての係合部４３が何れも対応する係合部３３の底にきっちり嵌まるとともに、閉塞部４１が開口３１をぴったり閉ざすので、右上の係合部４３を先ほどとは逆向きに軸回転させて頭部を擦合部４２に近づけることで右上の係合部３３の近傍の擦合部３２を挟持させ、窓閉塞部材４０を覗き窓３０に固定する。
【００３５】
あるいは（図５参照）、先ず右上の係合部４３の頭部を擦合部４２から適度に離してから、窓閉塞部材４０の把手部４４を摘まんで閉塞部４１の下端部を覗き窓３０の擦合部３２，３２の下端部の間に少し差し込み、覗き窓３０の下側の係合部３３，３３に対して窓閉塞部材４０の下側の係合部４３，４３を位置合わせしてから押し込み、それからそこを支点にして窓閉塞部材４０の上部を覗き窓３０の方へ揺動させる。そして、上側の係合部４３，４３が上側の係合部３３，３３の底に到達すると、閉塞部４１が開口３１をぴったり閉ざすので、やはり右上の係合部４３の頭部を擦合部４２に近づけてで右上の係合部３３の近傍の擦合部３２を挟持させることで窓閉塞部材４０を覗き窓３０に固定する。
【００３６】
このようにして板状蓋体部分２５の覗き窓３０を小さな窓閉塞部材４０にて開閉することで、薬剤分包機１０の上部薬剤収集機構２１の内部２４の状態をユーザでも簡便かつ迅速に視認することができる。
しかも、覗き窓３０の開口３１が板状蓋体部分２５より格段に小さいので、薬剤の粉塵などの機外漏れが少ない。
【実施例２】
【００３７】
本発明の薬剤分包機の実施例２について、その具体的な構成を、図面を引用して説明する。図６は、薬品庫部１１を後方の左上から見下ろした斜視図である。
この薬剤分包機が上述した実施例１のものと相違するのは、一つだった覗き窓３０が一つ増えて二つになった点であり、それに随伴して窓閉塞部材４０も二つになっている。図では、覗き窓３０が窓閉塞部材４０で塞がれていて、擦合部３２だけが見えている。
覗き窓３０が複数になったので、上部薬剤収集機構２１の内部２４の目視確認は、適宜な一方の覗き窓３０から窓閉塞部材４０を外して行っても良いが、総ての覗き窓３０から窓閉塞部材４０を外して念入りに行うのが望ましい。
【００３８】
［その他］
上記実施例では、上部薬剤収集機構２１の板状蓋体部分２５が薬品庫部１１部分の背板（外側板）を兼用するものであったが、板状蓋体部分２５は、背板とは別体のものであって背板の内側に配設されるものであっても良い。
また、上記実施例では上部薬剤収集機構２１が板状蓋体部分２５を取り外して内部全体を露出させるようになっていたが、板状蓋体部分２５は、着脱式のものに限られる訳でなく、蝶番支持等による開閉式のものでも良く、その場合、上部薬剤収集機構２１は板状蓋体部分２５を開いて内部２４を露出させるものとなる。さらに、外側板は、背板に限られるものでなく、左右いずれか又は双方の側板であっても良い。
【００３９】
また、上記実施例では、上部薬剤収集機構２１の内部２４のうち覗き窓３０の面している部分が、薬剤フィーダ１２の排出薬剤を内部空間に放出する内部放出口２３とその内部放出口２３の下側部分との双方に亘っていたが、何れか一方に面していれば他方は面していなくても覗き窓３０の機能はそれなりに発揮される。
さらに、覗き窓３０は、図示した一個や二個に限られる訳でなく、三以上の多数個が形成されても良い。いずれにしても、覗き窓３０の設置部位は、薬剤が落下収集過程で通過する密度が高くなりやすい下端開口に近い部位であって目視しやすい所が好ましい。
【００４０】
また、上記実施例では、窓閉塞部材４０の素材に、耐久性や汚れにくさ等を重視する観点から板状蓋体部分２５と同じ不透明なステンレス鋼を用いたが、覗き窓３０を開けずに内部２４を目視で確認できるという観点からはプラスチックや強化ガラスなどの透明なものが好ましい。加工性やコストさらには耐久性や汚れにくさ等に不満が無ければ板状蓋体部分２５にまで透明なものを採用しても良い。
【００４１】
また、薬品庫部１１のうち薬剤フィーダ１２搭載側には開閉式の扉などが付設されていても良い（例えば特許文献４参照）。
そのような扉に代えて或いは扉に加えて開閉用シャッターを付設しても良い（例えば特開２０１３−５９５６７号公報参照）。
【産業上の利用可能性】
【００４２】
本発明の薬剤分包機は、薬剤フィーダが前後には単一のもの（上記実施例や特許文献７，６参照）に適用することで、高い効果が期待できるが、それに適用が限定されるものでなく、薬剤フィーダが前後にも複数配設されたものにも（例えば特許文献５参照）、適用することができる。
【符号の説明】
【００４３】
１０…薬剤分包機、１１…薬品庫部、１２…薬剤フィーダ、
１３…薬剤手撒き装置、１４…散薬分配分割装置、１５…包装装置、
２０…薬剤収集機構、２１…上部薬剤収集機構、
２２…本体部分（フィーダ側の片割れ）、２３…内部放出口、２４…内部、
２５…板状蓋体部分（外側面寄りの片割れ）、２６…下部薬剤収集機構、
３０…覗き窓、３１…開口、３２…擦合部、３３…係合部、
４０…窓閉塞部材、４１…閉塞部、４２…擦合部、４３…係合部、４４…把手部
【図１】
2019217177.tif 000003
【図２】
2019217177.tif 000004
【図３】
2019217177.tif 000005
【図４】
2019217177.tif 000006
【図５】
2019217177.tif 000007
【図６】
2019217177.tif 000008